(57)【要約】【課題】変動図柄の表示にあって物理的な変動を可能にする遊技機を提供する。【解決手段】図柄表示装置３５にあって、第１、第２、及び第３停止変動図柄をそれぞれ表示する第１、第２、及び第３図柄表示板８１，８２，８３を設け、それら第１、第２、及び第３図柄表示板８１，８２，８３をスライド機構と第１、第２、及び第３モーターＭ１，Ｍ２，Ｍ３とによってスライド駆動可能に構成する。抽選手段５７の抽選結果に基づき表示制御手段６５が第１、第２、及び第３停止変動図柄を変動表示すると共に、駆動演出制御手段６６が第１、第２、及び第３モーターＭ１，Ｍ２，Ｍ３に指令し、第１、第２、及び第３図柄表示板８１，８２，８３の第１、第２、及び第３停止変動図柄が移動駆動される。これにより、変動図柄の物理的な変動が可能となる。【選択図】図３
2007268007.tif 000002
【特許請求の範囲】
【請求項１】
遊技領域を形成する遊技盤と、該遊技盤上に配設された始動口と、該始動口に遊技球が入球したことに応じて当たり抽選を行う抽選手段と、該抽選手段の抽選結果に基づき変動する複数の変動図柄を表示する図柄表示装置と、を備えた遊技機において、
前記図柄表示装置は、
前記複数の変動図柄にそれぞれ対応し、表示面に各変動図柄を表示し得る複数の図柄表示板と、
前記複数の図柄表示板のそれぞれを移動駆動し得る表示板駆動手段と、を有し、
前記抽選手段の抽選結果に基づき、前記表示板駆動手段に前記各図柄表示板の駆動を指令する駆動演出制御手段を備えた、
ことを特徴とする遊技機。
【請求項２】
前記複数の図柄表示板は、前記表示面に対する前後方向にそれぞれオフセットされて配置され、
前記表示板駆動手段は、前記表示面に対する左右方向に前記各図柄表示板をスライド駆動自在なスライド機構を有し、
前記駆動演出制御手段は、前記表示板駆動手段に駆動指令し、前記図柄表示板の少なくとも１つを左右方向にスライド移動させる、
ことを特徴とする請求項１記載の遊技機。
【請求項３】
前記駆動演出制御手段は、前記表示板駆動手段に駆動指令し、前記図柄表示板の少なくとも２つをスライド駆動して互いに重なり合わせることにより、後側の前記図柄表示板の表示面を視認不能にしてなる、
ことを特徴とする請求項２記載の遊技機。
【請求項４】
前記複数の変動図柄は、変動後に停止する順に、第１停止変動図柄、第２停止変動図柄、第３停止変動図柄からなり、
前記複数の図柄表示板は、前記第１停止変動図柄を表示する第１図柄表示板、前記第２停止変動図柄を表示する第２図柄表示板、前記第３停止変動図柄を表示する第３図柄表示板からなり、
前記駆動演出制御手段は、前記表示板駆動手段に駆動指令し、前記第１図柄表示板、第２図柄表示板、及び第３図柄表示板を左右方向にスライド移動することにより、前記変動後に停止する左右方向の順を変更してなる、
ことを特徴とする請求項２記載の遊技機。
【請求項５】
前記前後方向にそれぞれオフセットされた複数の図柄表示板の表示面に表示される前記変動図柄が、所定の視点位置から略々同じ大きさで視認し得る焦点となるように少なくとも最も前側に配置された図柄表示板よりも後側に配置された図柄表示板の表示面を拡大するレンズを備えた、
ことを特徴とする請求項２ないし４のいずれか記載の遊技機。
【請求項６】
前記複数の図柄表示板の後側に配置された画像表示装置と、
前記抽選手段の抽選結果に基づき前記画像表示装置の画面を表示制御する表示制御手段と、を備え、
前記駆動演出制御手段は、前記表示制御手段の表示制御に関連させて、前記表示板駆動手段に前記各図柄表示板の駆動を指令する、
ことを特徴とする請求項２ないし５のいずれか記載の遊技機。
【発明の詳細な説明】
【技術分野】
【０００１】
本発明は、パチンコ機等の遊技機に係り、詳しくは、始動口に対する入球に応じた抽選手段の当たり抽選の結果に基づき、複数の変動図柄の表示を行う遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で複数の変動図柄（多くは３つの変動図柄）の変動・停止に関する演出表示が行われる。大当たりの発生時には、アタッカーと呼ばれる大入賞口が開放し、入球に対応して多量の遊技球が払い出される状態となる。
【０００４】
【特許文献１】特開平７−２８４５５９号公報
【発明の開示】
【発明が解決しようとする課題】
【０００５】
ところで、上述の液晶等の画像表示装置に複数の変動図柄を表示するものは、画像表示装置に表示する画像を自由に生成することが可能であるため、それら変動図柄の変動手法や停止手法として自由ではある。しかしながら、それら変動図柄の表示は、１つの画面内で行われている表示であるので、遊技者にとって物理的な変動表示ではなく、仮想的で迫力に欠けるものであり、遊技機としての趣向に欠く虞があった。
【０００６】
そこで本発明は、抽選手段の抽選結果に基づき変動する複数の変動図柄の物理的な変動も可能にし、もって上述した課題を解決した遊技機を提供することを目的とするものである。
【課題を解決するための手段】
【０００７】
請求項１に係る本発明は（例えば図１ないし図１３参照）、遊技領域（３ａ）を形成する遊技盤（３）と、該遊技盤（３）上に配設された始動口（２７）と、該始動口（２７）に遊技球が入球したことに応じて当たり抽選を行う抽選手段（５７）と、該抽選手段（５７）の抽選結果に基づき変動する複数の変動図柄を表示する図柄表示装置（３５）と、を備えた遊技機（１）において、
前記図柄表示装置（３５）は、
前記複数の変動図柄にそれぞれ対応し、表示面（例えば８１ａ，８２ａ，８３ａ）に各変動図柄を表示し得る複数の図柄表示板（例えば８１，８２，８３）と、
前記複数の図柄表示板（例えば８１，８２，８３）のそれぞれを移動駆動し得る表示板駆動手段（７５，Ｍ１，Ｍ２，Ｍ３）と、を有し、
前記抽選手段（５７）の抽選結果に基づき、前記表示板駆動手段（７５，Ｍ１，Ｍ２，Ｍ３）に前記各図柄表示板（例えば８１，８２，８３）の駆動を指令する駆動演出制御手段（６６）を備えた、
ことを特徴とする遊技機（１）にある。
【０００８】
請求項２に係る本発明は（例えば図３ないし図５、図１１ないし図１３参照）、前記複数の図柄表示板（例えば８１，８２，８３）は、前記表示面（例えば８１ａ，８２ａ，８３ａ）に対する前後方向（Ｙ１−Ｙ２）にそれぞれオフセットされて配置され、
前記表示板駆動手段（７５，Ｍ１，Ｍ２，Ｍ３）は、前記表示面（例えば８１ａ，８２ａ，８３ａ）に対する左右方向（Ｘ１−Ｘ２）に前記各図柄表示板（例えば８１，８２，８３）をスライド駆動自在なスライド機構（７５）を有し、
前記駆動演出制御手段（６６）は、前記表示板駆動手段（７５，Ｍ１，Ｍ２，Ｍ３）に駆動指令し、前記図柄表示板（例えば８１，８２，８３）の少なくとも１つを左右方向（Ｘ１−Ｘ２）にスライド移動させる、
ことを特徴とする請求項１記載の遊技機（１）にある。
【０００９】
請求項３に係る本発明は（例えば図３、図４、図９、図１０、及び図１３参照）、前記駆動演出制御手段（６６）は、前記表示板駆動手段（７５，Ｍ１，Ｍ２，Ｍ３）に駆動指令し、前記図柄表示板（例えば８１，８２，８３）の少なくとも２つをスライド駆動して互いに重なり合わせることにより、後側の前記図柄表示板（例えば８２，８３）の表示面（例えば８２ａ，８３ａ）を視認不能にしてなる、
ことを特徴とする請求項２記載の遊技機（１）にある。
【００１０】
請求項４に係る本発明は（例えば図３ないし図１３参照）、前記複数の変動図柄は、変動後に停止する順に、第１停止変動図柄、第２停止変動図柄、第３停止変動図柄からなり、
前記複数の図柄表示板（例えば８１，８２，８３）は、前記第１停止変動図柄を表示する第１図柄表示板（８１）、前記第２停止変動図柄を表示する第２図柄表示板（８２）、前記第３停止変動図柄を表示する第３図柄表示板（８３）からなり、
前記駆動演出制御手段（６６）は、前記表示板駆動手段（７５，Ｍ１，Ｍ２，Ｍ３）に駆動指令し、前記第１図柄表示板（８１）、第２図柄表示板（８２）、及び第３図柄表示板（８３）を左右方向（Ｘ１−Ｘ２）にスライド移動することにより、前記変動後に停止する左右方向（Ｘ１−Ｘ２）の順を変更してなる、
ことを特徴とする請求項２記載の遊技機（１）にある。
【００１１】
請求項５に係る本発明は（例えば図５参照）、前記前後方向（Ｙ１−Ｙ２）にそれぞれオフセットされた複数の図柄表示板（８１，８２，８３）の表示面（８１ａ，８２ａ，８３ａ）に表示される前記変動図柄が、所定の視点位置から略々同じ大きさで視認し得る焦点となるように少なくとも最も前側に配置された図柄表示板（８１）よりも後側に配置された図柄表示板（８２，８３）の表示面（８２ａ，８３ａ）を拡大するレンズ（８２ｂ，８３ｂ）を備えた、
ことを特徴とする請求項２ないし４のいずれか記載の遊技機（１）にある。
【００１２】
請求項６に係る本発明は（例えば図１１ないし図１３参照）、前記複数の図柄表示板（例えば８１，８２，８３）の後側に配置された画像表示装置（３５ａ）と、
前記抽選手段（５７）の抽選結果に基づき前記画像表示装置（３５ａ）の画面（３５ａｂ）を表示制御する表示制御手段（６５）と、を備え、
前記駆動演出制御手段（６６）は、前記表示制御手段（６５）の表示制御に関連させて、前記表示板駆動手段（７５，Ｍ１，Ｍ２，Ｍ３）に前記各図柄表示板（例えば８１，８２，８３）の駆動を指令する、
ことを特徴とする請求項２ないし５のいずれか記載の遊技機（１）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、図柄表示装置に、複数の変動図柄にそれぞれ対応し、表示面に各変動図柄を表示し得る複数の図柄表示板と、複数の図柄表示板のそれぞれを移動駆動し得る表示板駆動手段とを有するように構成し、駆動演出制御手段が、抽選手段の抽選結果に基づき、表示板駆動手段に各図柄表示板の駆動を指令するので、図柄表示板を移動駆動させることで、それら変動図柄の物理的な移動駆動、つまり複数の変動図柄の物理的な変動を可能にすることができ、遊技者に対して迫力ある変動図柄の表示を行うことができて、遊技機としての趣向を増すことができる。
【００１５】
請求項２に係る本発明によると、複数の図柄表示板を、表示面に対する前後方向にそれぞれオフセットして配置すると共に、表示板駆動手段に、表示面に対する左右方向に各図柄表示板をスライド駆動自在なスライド機構を有するように構成し、駆動演出制御手段が、表示板駆動手段に駆動指令し、図柄表示板の少なくとも１つを左右方向にスライド移動させるので、複雑な機構を設けることなく、それら変動図柄の物理的な変動を可能にすることができる。
【００１６】
請求項３に係る本発明によると、駆動演出制御手段が、表示板駆動手段に駆動指令し、図柄表示板の少なくとも２つをスライド駆動して互いに重なり合わせることにより、後側の図柄表示板の表示面を視認不能にするので、例えば遊技者に変動図柄を隠して当たりか否かを期待させたり、或いは変動図柄の数を減らして（例えば３つの変動図柄を２つや１つの変動図柄だけに減らして）当たりの期待度を増したりするような表示手法を可能とすることができる。
【００１７】
請求項４に係る本発明によると、複数の変動図柄は、変動後に停止する順に、第１停止変動図柄、第２停止変動図柄、第３停止変動図柄からなり、複数の図柄表示板は、第１停止変動図柄を表示する第１図柄表示板、第２停止変動図柄を表示する第２図柄表示板、第３停止変動図柄を表示する第３図柄表示板からなり、駆動演出制御手段が、表示板駆動手段に駆動指令し、第１図柄表示板、第２図柄表示板、及び第３図柄表示板を左右方向にスライド移動することにより、変動後に停止する左右方向の順を変更するので、それら第１停止変動図柄、第２停止変動図柄、第３停止変動図柄が停止する順を変えなくても、遊技者にとっての左右方向における変動図柄の停止順を変更することができる。また、それら変動図柄の左右方向の停止順を変更するパターン（例えば左、真ん中、右の順を、右、真ん中、左に変更したり、左、右、真ん中に変更したりすること）によって、遊技者にとっての当たりの期待度を変更するようにすることができる。
【００１８】
請求項５に係る本発明によると、前後方向にそれぞれオフセットされた複数の図柄表示板の表示面に表示される変動図柄が、所定の視点位置から略々同じ大きさで視認し得る焦点となるように少なくとも最も前側に配置された図柄表示板よりも後側に配置された図柄表示板の表示面を拡大するレンズを備えたので、図柄表示板が前後方向にオフセットされて配置されたことに起因して、遊技者から見て変動図柄の大きさが異なってしまうことを防止することができる。
【００１９】
請求項６に係る本発明によると、複数の図柄表示板の後側に配置された画像表示装置と、抽選手段の抽選結果に基づき画像表示装置の画面を表示制御する表示制御手段とを備えたので、画像表示装置による変動図柄の演出を可能とすることができると共に、複数の変動図柄の物理的な変動も可能とすることができ、遊技者に対してより迫力ある変動図柄の表示を行うことができて、遊技機としての趣向を増すことができる。
【発明を実施するための最良の形態】
【００２０】
＜第１の実施の形態＞
以下、本発明に係る遊技機の第１の実施の形態として、遊技場等に設置されるパチンコ機を図に沿って説明する。なお、本第１の実施の形態では、本発明の遊技機を所謂第１種特別電動役物を使用したパチンコ機として述べるが、本発明はこれに限らず、所謂第２種特別電動役物や所謂第３種特別電動役物等を使用したパチンコ機にも適用可能であることは勿論である。また、図１は本発明の第１の実施の形態におけるパチンコ機の外部構造を示す正面図、図２は本パチンコ機から遊技盤を単体で分離した状態で示す正面図である。
【００２１】
本パチンコ機（遊技機）１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入賞した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
本パチンコ機１は図１及び図２に示すように、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれに配設されている。そして、前扉７の上部における両放音装置１２，１２の間には、演出用照明装置８が配設されている。なお、皿ユニット１６は、賞球及び貸球を含む遊技球が払い出される球受け皿を構成している。また、筐体６及び前扉７等により遊技機本体が構成されている。
【００２３】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技領域３ａ側に案内するガイドレールを示している。本パチンコ機１には、遊技中に遊技領域３ａにて入賞することなく落下して、遊技領域３ａ下部のアウト口７６に進入した遊技球をパチンコ機背面側に導くアウト球通路（図示せず）が設けられている。
【００２４】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００２５】
また、前扉７における皿ユニット１６の右側下方の前壁部４８には、上記球発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂがそれぞれ配設されている。
【００２６】
また、遊技領域３ａの中央部分には、遊技球ステージＳを有するセンター飾り２３が配設されている。センター飾り２３の下部左右には、大当たり抽選に寄与しない一般の入賞が行われる一般入賞口２５，２６が配設されており、センター飾り２３の下方には、大当たり抽選実行の契機となり得る入賞が行われる始動チャッカー（始動口）２７と、大当たり発生時に開放して遊技領域３ａに打ち出される遊技球を入賞させるアタッカー５と、が順次配設されている。
【００２７】
始動チャッカー２７は、開放位置と閉止位置とに開閉動作するように始動チャッカー開閉ソレノイド７１（図３参照）によって作動させられる。始動チャッカー２７の直上方には、所謂命釘としての一対の障害釘３０が打ち込まれている。
【００２８】
アタッカー５は、大当たり発生中、例えば、１回の開放で１０個の入賞（入球）を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００２９】
遊技領域３ａには、センター飾り２３の四方に風車３１がそれぞれ配設されており、遊技球ステージＳの下方における始動チャッカー２７の左右には、始動チャッカー２７を開閉動作させる抽選の契機となる遊技球通過が行われる役物であるスルーゲート３２がそれぞれ配設されている。
【００３０】
遊技領域３ａにおけるスルーゲート３２、一般入賞口２５，２６及び始動チャッカー２７等の周囲には、遊技球ステージＳから零れた遊技球や、発射されてから遊技球ステージＳに関与せずに落下してくる遊技球を適宜散らし、或いは入球（入賞）に導くようにするための障害釘３３を含む多数の障害釘が打ち込まれている。
【００３１】
センター飾り２３は、上部左右にワープ導入口３８，３８をそれぞれ有し、中央部に、遊技盤３側に固定された図柄表示装置３５を露出する開口３６を有し、かつ該開口３６の左右にワープ導入口３７をそれぞれ有しており、更に、開口３６の中央上部に鈴状役物７７を、遊技球ステージＳの中央部に放出口４９をそれぞれ有している。ワープ導入口３７やワープ導入口３８から入球（入賞）した遊技球は遊技球ステージＳ上に導入されるが、それらの一部は放出口４９に案内されて始動チャッカー２７に向け自重落下させられる。
【００３２】
また、ワープ導入口３７，３７にそれぞれ対向するように、一対ずつの障害釘３９が打ち込まれている。このような本パチンコ機１では、遊技領域３ａに打ち出された遊技球を始動チャッカー２７等に、遊技球ステージＳを介して入球させ又は遊技球ステージＳを介さず直接入球させ得るように遊技が進められる。
【００３３】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３４】
次に、本第１の実施の形態におけるパチンコ機１の制御系を図３に沿って説明する。なお、同図は本パチンコ機の制御系を示すブロック図である。
【００３５】
本制御系は、遊技制御装置５４と、該遊技制御装置５４に電気的に接続された、始動チャッカー開閉ソレノイド７０、アタッカー開閉ソレノイド７１、放音装置１２、演出用照明装置８，１１、第１図柄表示板８１、第２図柄表示板８２、第３図柄表示板８３、第１モーターＭ１、第２モーターＭ２、及び第３モーターＭ３と、を備えている。
【００３６】
遊技制御装置５４は、不図示の主制御基盤やサブ制御基盤等から構成されている。主制御基盤は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基盤は、主に画像表示、効果音等の演出、効果光等の表示制御を行うように構成されている。
【００３７】
遊技制御装置５４は、入賞判定手段５５、入賞信号出力手段５６、抽選手段５７、遊技制御手段５９、保留手段６０、作動制御手段６１、作動判定手段６２、作動決定手段６３、演出制御手段６４、表示制御手段６５、及び駆動演出制御手段６６を備えている。
【００３８】
入賞判定手段５５は、発射ハンドル２の操作で作動する発射装置（図示せず）によって遊技領域３ａに打ち出された遊技球が始動チャッカー２７、一般入賞口２５，２６、アタッカー５、スルーゲート３２、ワープ導入口３７，３８の何れかに入賞（入球）したとき、当該入賞があった旨を判定する。
【００３９】
入賞信号出力手段５６は、入賞判定手段５５によって入賞（入球）が判定されたとき、対応する始動チャッカー２７、一般入賞口２５，２６、アタッカー５、スルーゲート３２、ワープ導入口３７，３８に入賞した旨の入賞信号を出力する。
【００４０】
抽選手段５７は、入賞信号出力手段５６からの始動チャッカー２７に対応する入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちのいずれか一方に当選するように、不図示の抽選用メモリから当たり当選乱数値を取得して、大当たり抽選を実行する。
【００４１】
また、抽選手段５７は、大当たり抽選で確変当たりに当選した場合、不図示の演出用メモリに格納された演出乱数値に基づく抽選で、変動の結果、確変当たりに対応する「１１１」、「３３３」や「７７７」等の図柄が、詳しくは後述する図柄表示装置３５（図５参照）の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００４２】
さらに、抽選手段５７はまた、大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、その旨の変動パターン信号を出力する。抽選手段５７は更に、大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、その旨の変動パターン信号を出力する。
【００４３】
遊技制御手段５９は、放音装置１２、及び演出用照明装置８，１１に放音、発光の演出をさせる契機となる指令や、第１モーターＭ１、第２モーターＭ２、及び第３モーターＭ３に駆動演出をさせるために予め設定された演出データを演出制御手段６４に送る。また、遊技制御手段５９は、抽選手段５７での抽選結果に応じて、第１図柄表示板８１、第２図柄表示板８２、及び第３図柄表示板８３に表示すべき変動図柄に関する信号を、表示制御手段６５に送る。
【００４４】
保留手段６０は、抽選手段５７から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。保留手段６０は、例えば保留球数Ｈが０＜Ｈ＜５であるか否かを常時判定し、保留球数Ｈが４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００４５】
また、保留手段６０は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段６０は、保留球の消費に応じて保留球数ＨがＨ＜４となった場合、抽選手段５７で行われる始動チャッカー２７への入賞に応答した大当たり抽選の結果を保留球として記憶し、保留球数を１インクリメントする。
【００４６】
作動制御手段６１は、後述する作動決定手段６３の作動開始決定の旨の信号に基づき、始動チャッカー開閉ソレノイド７０に駆動信号を送って該ソレノイド７０を作動させ、始動チャッカー２７を開放又は閉塞動作させる。更に作動制御手段６１は、アタッカー開閉ソレノイド７１に駆動信号を送って該ソレノイド７１を作動させ、抽選手段５７での抽選による大当たり発生時にアタッカー５を開放して所定数入賞が終了する（又は所定時間が経過する）毎に閉塞する動作を所定回数（所定ラウンド）だけ繰り返すように制御する。
【００４７】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、抽選手段５７の大当たり抽選とは別途行われる抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００４８】
作動決定手段６３は、作動判定手段６２からの判定信号を受けて、始動チャッカー開閉ソレノイド７０、アタッカー開閉ソレノイド７１の作動開始をそれぞれに決定する。
【００４９】
演出制御手段６４は、遊技制御手段５９からの指令に応答して、放音装置１２を放音駆動し、演出用照明装置８，１１を発光させ、遊技者の聴覚や視覚に訴える演出を行う。また、演出制御手段６４は、遊技制御手段５９からの演出データに基づいて、詳しくは後述する第１モーターＭ１、第２モーターＭ２、及び第３モーターＭ３の駆動による演出を行う契機となる信号を、後述する駆動演出制御手段６６に送る。
【００５０】
表示制御手段６５は、遊技制御手段５９からの信号に従って、詳しくは後述する第１図柄表示板８１の第１図柄表示部８１ｃ、第２図柄表示板８２の第２図柄表示部８２ｃ、及び第３図柄表示板８３の第３図柄表示部８３ｃを制御し、大当たり抽選結果である変動図柄を、それぞれ表示する。
【００５１】
駆動演出制御手段６６は、演出制御手段６４からの信号（つまり抽選手段５７の抽選結果）に従って、該信号の内容によっては、第１モーターＭ１、第２モーターＭ２、及び第３モーターＭ３を駆動することで第１図柄表示板８１、第２図柄表示板８２、及び第３図柄表示板８３の位置を移動させ、大当たり抽選結果を中心とした内容等の演出を、遊技者の視覚に訴えるように駆動演出する。なお、勿論であるが、信号によっては、第１図柄表示板８１、第２図柄表示板８２、及び第３図柄表示板８３の位置を移動させない場合もある。
【００５２】
始動チャッカー開閉ソレノイド７０は、作動制御手段６１から送信された駆動信号に応答してプランジャ（図示せず）を進退動作させて、始動チャッカー２７を開閉動作させる。
【００５３】
アタッカー開閉ソレノイド７１は、作動制御手段６１から送信された駆動信号に応答してプランジャ（図示せず）を進退動作させて、アタッカー５を開閉動作させる。
【００５４】
放音装置１２は、演出制御手段６４の制御に従ってスピーカー（図示せず）を駆動させ、演出に応じた効果音を発する。演出用照明装置８，１１は、演出制御手段６４の制御に従ってその内蔵する電飾ランプ（図示せず）を発光駆動（点灯、点滅）させ、演出に応じた照明を行う。
【００５５】
第１図柄表示板８１、第２図柄表示板８２、及び第３図柄表示板８３は、表示制御手段６５の制御に従って作動し、抽選手段５７での抽選結果に応じた、第１停止変動図柄を第１図柄表示部８１ｃに、第２停止変動図柄を第２図柄表示部８２ｃに、第３停止変動図柄を第３図柄表示部８３ｃにそれぞれ表示を行う。
【００５６】
第１モーターＭ１、第２モーターＭ２、及び第３モーターＭ３は、上記駆動演出制御手段６６の制御に従って回転駆動し、詳しくは後述するスライド機構７５によって第１図柄表示板８１、第２図柄表示板８２、及び第３図柄表示板８３の位置を左右方向に移動させ、演出データや抽選手段５７での抽選結果に応じた駆動演出を行う。
【００５７】
次に、本パチンコ機１による作用について、図４のフローチャートを併せて参照しつつ説明する。
【００５８】
本パチンコ機１に対面して着座した遊技者が、発射ハンドル２を握って適宜の角度に回動操作すると（ステップＳ１）、不図示の発射装置が作動して、遊技球を所定の時間間隔で遊技領域３ａに向けて連続的に発射させる。すると、遊技領域３ａに打ち出されて転動落下する多数の遊技球Ｂａは、始動チャッカー２７や一般入賞口２５，２６等に適時入賞し、或いは、これらに関与せずに転動落下して、遊技領域３ａ最下部のアウト口７６から遊技盤３背面側に排出される。
【００５９】
つまり、遊技領域３ａに向けて打ち出された多数の遊技球Ｂａは、その一部がワープ導入口３７や導入口３８から導入されて遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａは、始動チャッカー２７と異なる方向に向かう。この際、当該遊技球Ｂａは、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００６０】
ところで、上述したように始動チャッカー２７や一般入賞口２５，２６等の入賞口の何れかに入賞した場合、入賞判定手段５５が当該入賞を判定し、且つ入賞信号出力手段５６が入賞信号を出力する（ステップＳ２）。この際、保留手段６０は、保留球Ｈが０＜Ｈ＜５であるか否かを常時判定しており、０＜Ｈ＜５を満たすと判定したときには、保留している変動パターンに係る信号を、遊技制御手段５９を介して表示制御手段６５に順次送信し、図柄変動禁止フラグをオンすると共に、図柄変動タイマをセットし、変動パターン信号の送信に応じて保留球数を１デクリメントする。また保留手段６０は、当該保留球の消費に応じて保留球数ＨがＨ＜４となった場合、抽選手段５７で行われる始動チャッカー２７への入賞に応じた大当たり抽選の結果を保留球として記憶し、保留球数を１インクリメントする。
【００６１】
また、ステップＳ３において、大当たり抽選で当選した場合、抽選手段５７が当たりフラグをオンすると、抽選手段５７が、演出用メモリに格納された演出乱数値に基づく抽選で、大当たりの種別、つまり確変当たり又は通常当たりに対応する変動パターンを決定する。
【００６２】
これにより、ステップＳ４において、第１図柄表示板８１、第２図柄表示板８２、及び第３図柄表示板８３に表示されるべき当たり図柄がセットされ、抽選手段５７は、その旨の変動パターン信号を出力すると共に、当該変動パターン信号に基づく演出が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。
【００６３】
一方、ステップＳ３において大当たり抽選で外れた場合には、演出用メモリに格納された演出乱数値に基づく抽選で、変動の結果、外れに対応する図柄が最終的に揃う旨の変動パターンが決定される。これにより、第１図柄表示板８１、第２図柄表示板８２、及び第３図柄表示板８３に表示される外れ図柄がセットされ、抽選手段５７は、その旨の変動パターン信号を出力すると共に、図柄変動禁止フラグをオンし、図柄変動タイマをセットし、変動パターン信号の送信に応じて保留球数を１デクリメントする。
【００６４】
以上のようにして、遊技制御手段５９が、第１図柄表示部８１ｃ、第２図柄表示部８２ｃ、及び第３図柄表示部８３ｃに表示すべき変動図柄の内容に関する信号を、表示制御手段６５に送信することに基づき、表示制御手段６５は、第１図柄表示部８１ｃ、第２図柄表示部８２ｃ、及び第３図柄表示部８３ｃを適時制御し、大当たり抽選結果である変動図柄を表示することとなる。
【００６５】
また同時に遊技制御手段５９が、第１モーターＭ１、第２モーターＭ２、及び第３モーターＭ３に駆動演出をさせるために予め設定された演出データを演出制御手段６４に送信することに基づき、演出制御手段６４は、駆動演出制御手段６６に信号を送り、この信号に従って駆動演出制御手段６６は第１モーターＭ１、第２モーターＭ２、及び第３モーターＭ３を駆動することで第１図柄表示板８１、第２図柄表示板８２、及び第３図柄表示板８３の位置を左右方向に移動させ、大当たり抽選結果を中心とした内容等の演出を、遊技者の視覚に訴えるように駆動演出する。（ステップＳ５）。
【００６６】
そして、第１図柄表示板８１、第２図柄表示板８２、及び第３図柄表示板８３の画面上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる（ステップＳ６）。
【００６７】
次に、本発明の特徴である図柄表示装置３５について説明する。なお、説明文中におけるＹ１−Ｙ２方向とは、本パチンコ機１に対面して着座した遊技者にとって手前−奥方向（前後方向）であり、またＸ１−Ｘ２方向とは、遊技者にとって左右方向である。
【００６８】
図１及び図２に示すように、本第１の実施の形態のパチンコ機１は、上述のようにセンター飾り２３の中央部に形成された開口３６より露出するように、図柄表示装置３５が備えられている。
【００６９】
図５に示すように、図柄表示装置３５は、大まかにスライド機構７５、第１図柄表示板８１、第２図柄表示板８２、第３図柄表示板８３、台座板１０２、及び背面板１０３等によって構成されている。
【００７０】
スライド機構７５は、第１モーターＭ１、第２モーターＭ２、第３モーターＭ３、第１ベルト９０、第２ベルト９１、第３ベルト９２、第１シャフト９４、第２シャフト９５、第３シャフト９６、第１ガイド部材８５、第２ガイド部材８６、第３ガイド部材８７、支持シャフト１００、支持部材１０１、第１ローラー９７、第２ローラー９８、及び第３ローラー９９等を備えている。
【００７１】
第１モーターＭ１は、上述のように遊技制御装置５４と電気的に接続され、第１シャフト９４と機械的に接続されている。同様に第２モーターＭ２は、遊技制御装置５４と電気的に接続され、第２シャフト９５と機械的に接続されており、第３モーターＭ３も、遊技制御装置５４と電気的に接続され、第３シャフト９６と機械的に接続されている。
【００７２】
一方、支持シャフト１００は、遊技盤３に固定された支持部材１０１と接続されており、またＹ１方向側から順に第１ローラー９７、第２ローラー９８、及び第３ローラー９９をそれぞれ回転自在に支持している。そして、第１シャフト９４の先端部９４ａと第１ローラー９７とに亘って無端状の第１ベルト９０が巻き掛けられており、第１モーターＭ１の駆動により第１ベルト９０が駆動されるように構成されている。同様に、第２シャフト９５の先端部９５ａと第２ローラー９８とに亘って第２ベルト９１が巻き掛けられており、第２モーターＭ２の駆動により第２ベルト９１が駆動され、第３シャフト９６の先端部９６ａと第３ローラー９９とに亘って第３ベルト９２が巻き掛けられており、第３モーターＭ３の駆動により第３ベルト９２が駆動されるように構成されている。
【００７３】
第１ガイド部材８５は、遊技盤３に固定された台座板１０２に対して長手方向がＸ１−Ｘ２方向（即ち左右方向）となるように固定されており、ガイド溝８５ａに後述する第１図柄表示板８１を摺動自在に嵌合させている。同様に、第２ガイド部材８６は、第１ガイド部材８５と平行で、かつ該第１ガイド部材８５よりもＹ２方向側（即ち後側）の位置において台座板１０２に対して長手方向がＸ１−Ｘ２方向（即ち左右方向）となるように固定され、ガイド溝８６ａに第２図柄表示板８２を摺動自在に嵌合させている。さらに、第３ガイド部材８７は、第２ガイド部材８６と平行で、かつ該第２ガイド部材８６よりもＹ２方向側（即ち後側）の位置において台座板１０２に対して長手方向がＸ１−Ｘ２方向（即ち左右方向）となるように固定され、ガイド溝８７ａに第３図柄表示板８３を摺動自在に嵌合させている。
【００７４】
第１図柄表示板８１は、第１表示面（表示面）８１ａと、該第１表示面８１ａの表面上に表示制御手段６５の制御に従って抽選手段５７での抽選結果に応じた変動図柄を表示する７セグメント型表示装置である第１図柄表示部８１ｃと拡大レンズ８１ｂとを備えており、上端部が第１ベルト９０に固着されていると共に、下端部の凸部分が第１ガイド部材８５のガイド溝８５ａに摺動自在に嵌合するように構成されている。
【００７５】
同様に、第２図柄表示板８２は、第２表示面８２ａと、該第２表示面８２ａの表面上に第２図柄表示部８２ｃと、拡大レンズ８２ｂとを備えており、上端部が第２ベルト９１に固着されていると共に、下端部の凸部分が第２ガイド部材８６のガイド溝８６ａに摺動自在に嵌合するように構成されている。さらに、第３図柄表示板８３は、第３表示面８３ａと、該第３表示面８３ａの表面上に第３図柄表示部８３ｃと、拡大レンズ８３ｂとを備えており、上端部が第３ベルト９２に固着されていると共に、下端部の凸部分が第３ガイド部材８７のガイド溝８７ａに摺動自在に嵌合するように構成されている。
【００７６】
なお、上述した拡大レンズ８１ｂ、８２ｂ、８３ｂとは、例えばパチンコ機１に対面して着座した遊技者の視点位置から各第１、第２、及び第３表示面８１ａ、８２ａ、８３ａが略々同じ大きさに視認し得る焦点となるように倍率が設定されたレンズで構成されている。
【００７７】
以上の構成により、第１図柄表示板８１をＹ１方向とし、Ｙ２方向へ第２図柄表示板８２及び第３図柄表示板８３が順にオフセットされて配置されており、第１図柄表示板８１、第２図柄表示板８２、及び第３図柄表示板８３のそれぞれが、開口３６より露出した範囲内をＸ１−Ｘ２方向に、第１モーターＭ１、第２モーターＭ２、及び第３モーターＭ３の駆動によって移動自在となっており、それら第１、第２、及び第３図柄表示板８１，８２，８３のうちのいずれか２つ又は３つが重なるように移動駆動させた場合は、前側の図柄表示板に隠れて後側の図柄表示板の図柄表示部が視認不能になるようにすることも可能となる。
【００７８】
なお、台座板１０２のＹ２方向側端部には（即ち第１、第２、及び第３図柄表示板８１，８２，８３の後側には）、背面板１０３が配設され、パチンコ機１の内部と図柄表示装置３５と隔離している。これにより、上述のように各図柄表示板の配置位置によって、開口部３６において、いずれの図柄表示板も前後方向に対して存在しなくなる領域が生じてしまう場合でも、該背面板１０３によりパチンコ機１の内部を前方に開放してしまうことを防いでいる。
【００７９】
次に、図柄表示装置３５による演出パターンの例を図６ないし図１０に沿って説明する。
【００８０】
なお、本第１の実施の形態においては、変動図柄が変動後に停止する順に、１番目に停止する第１停止変動図柄は第１図柄表示板８１の第１図柄表示部８１ｃに表示され、２番目に停止する第２停止変動図柄は第２図柄表示板８２の第２図柄表示部８２ｃに表示され、３番目に停止する第３停止変動図柄は第３図柄表示板８３の第３図柄表示部８３ｃに表示される。また、以下の説明においては、各図柄表示板の位置を「左」「中」「右」で表現するものとする。
【００８１】
各図柄表示板は、駆動演出制御手段６６の制御に従って第１モーターＭ１、第２モーターＭ２、第３モーターＭ３のそれぞれにより移動駆動され、その後、表示制御手段６５の制御に従って、抽選手段５７での抽選結果に応じた変動図柄を各図柄表示部に表示する。例えば本第１の実施の形態における通常状態の制御では、図６（ａ）に示すように、第１図柄表示板８１が「左」、第２図柄表示板８２が「中」、第３図柄表示板８３が「右」に位置し（後述の移動した状態からの場合はこの位置に戻るように移動駆動され）、変動図柄が「左」「中」「右」の順に停止する。この状態を遊技者からの視点で見ると、図６（ｂ）に示すように（説明の便宜上、第１停止変動図柄を「１」、第２停止変動図柄を「２」、第３停止変動図柄を「３」とし、停止順を表す数字と変動図柄の数字を同じとする）、「１２３」と表示される。
【００８２】
つづいて、第１の移動パターンについて説明する。この第１の移動パターンにおいては、図７（ａ）に示すように、例えば抽選手段５７の抽選結果が遊技者にとって上記通常状態よりも１段階期待度が高い抽選結果である場合として、その抽選結果の信号に従って、表示制御手段６５により第１、第２、及び第３図柄表示部８１ｃ，８２ｃ，８３ｃにおける各変動図柄を変動させた状態で、駆動演出制御手段６６が第１モーターＭ１及び第３モーターＭ３に駆動を指令して、第１図柄表示板８１を「左」から「右」に移動すると共に、第３図柄表示板８３を「右」から「左」に移動する。そして、その第１図柄表示板８１及び第３図柄表示板８３の移動が終了した後、表示制御手段６５は、それぞれ第１、第２、及び第３図柄表示部８１ｃ，８２ｃ，８３ｃにおける第１、第２、及び第３停止変動図柄を順に停止していき、つまり図７（ｂ）に示すように、「１」「２」「３」が「右」「中」「左」の順に停止する。
【００８３】
この場合は、各変動図柄が変動したまま第１及び第３図柄表示部８１ｃ，８３ｃの移動が行われるので、この第１の移動パターンにおける大当たり確率或いはリーチ確率を例えば通常状態よりも１段階高くすることで、遊技者に例えば通常状態よりも１段階高い大当たりの期待感を与えることができる。また、全ての変動図柄の停止後は、大当たり抽選結果が外れであれば（例えば３つの数字が揃わなければ）、駆動演出制御手段６６が例えば上記通常状態に復帰するように、再び第１モーターＭ１及び第３モーターＭ３に駆動指令し、第１図柄表示板８１、第２図柄表示板８２、第３図柄表示板８３が「左」「中」「右」に移動される。
【００８４】
なお、勿論であるが、次の抽選結果に応じて上記通常状態ではなく、以下に説明する他の移動パターンとなるように第１図柄表示板８１、第２図柄表示板８２、第３図柄表示板８３の移動駆動を行っても構わない。更に、例えば変動図柄を一旦停止させた後、例えば後述の第３又は第４の移動パターンとなるように第１図柄表示板８１、第２図柄表示板８２、第３図柄表示板８３の移動駆動を行って、所謂スーパーリーチに発展させるような制御を行っても構わない。
【００８５】
また、例えば大当たりが当選していた場合には、その状態のままで大当たり遊技を行ってもよいし、特に同じ変動図柄（同じ数字）であるので、どのような移動を行っても何ら問題はない。この大当たり遊技の終了後は、同様に例えば上記通常状態に復帰するように移動駆動することは言うまでもない。
【００８６】
次に、第２の移動パターンについて説明する。この第２の移動パターンにおいては、図８（ａ）に示すように、例えば抽選手段５７の抽選結果が遊技者にとって上記通常状態よりも２段階期待度が高い抽選結果である場合として、その抽選結果の信号に従って、表示制御手段６５により第１、第２、及び第３図柄表示部８１ｃ，８２ｃ，８３ｃにおける各変動図柄を変動させた状態で、駆動演出制御手段６６が第２モーターＭ２及び第３モーターＭ３に駆動を指令して、第２図柄表示板８２を「中」から「右」に移動すると共に、第３図柄表示板８３を「右」から「中」に移動する。そして、その第２図柄表示板８２及び第３図柄表示板８３の移動が終了した後、表示制御手段６５は、それぞれ第１、第２、及び第３図柄表示部８１ｃ，８２ｃ，８３ｃにおける第１、第２、及び第３停止変動図柄を順に停止していき、つまり図８（ｂ）に示すように、「１」「２」「３」が「左」「右」「中」の順に停止する。
【００８７】
この場合は、各変動図柄が変動したまま第２及び第３図柄表示部８２ｃ，８３ｃの移動が行われるので、この第２の移動パターンにおける大当たり確率或いはリーチ確率を例えば通常状態よりも２段階高くすることで、遊技者に例えば通常状態よりも２段階高い大当たりの期待感を与えることができる。また、同様に、全ての変動図柄の停止後、例えば後述の第３又は第４の移動パターンに移行して所謂スーパーリーチに発展させてもよく、図柄の停止結果が外れであれば上記通常状態に復帰され、大当たりであれば、大当たり遊技の後、上記通常状態に復帰される。
【００８８】
次に、第３の移動パターンについて説明する。この第３の移動パターンは、上記第１及び第２の移動パターンと異なり、例えばリーチ（スーパーリーチ）の状態となる移動パターンである場合であって（説明の便宜上、第１及び第２停止変動図柄を「７」、最後に停止する第３停止変動図柄を、後述するように、大当たりとなる「７」又は外れとなる「６」として説明する）、例えば抽選手段５７の抽選結果が遊技者にとって上記通常状態よりも３段階期待度が高い抽選結果であった場合である。
【００８９】
この第３の移動パターンにおいては、その通常状態よりも３段階期待度が高い抽選結果の信号に従って、図９（ａ）に示すように、表示制御手段６５により第１、第２、及び第３図柄表示部８１ｃ，８２ｃ，８３ｃにおける各変動図柄を変動させた状態で、駆動演出制御手段６６が第３モーターＭ３に駆動を指令して、第３図柄表示板８３を「右」から「中」に移動し、つまり第３図柄表示部８３ｃを第２図柄表示部８２ｃの背面側に重なるように移動する。そして、その第３図柄表示板８３の移動が終了した後、表示制御手段６５は、それぞれ第１及び第２図柄表示部８１ｃ，８２ｃにおける第１及び第２停止変動図柄を順に停止していき、つまり図９（ｂ）に示すように、同じ変動図柄、即ち「７」「７」が「左」「中」の順に停止してリーチ状態とする。
【００９０】
その後、図９（ｃ）に示すように、表示制御手段６５により第３図柄表示部８３ｃにおける変動図柄を変動させた状態で、駆動演出制御手段６６が第３モーターＭ３に駆動を指令して、第３図柄表示板８３を「中」から「右」に移動する。そして、例えば抽選手段５７の抽選結果で大当たりが当選していた場合は、図９（ｄ）に示すように、表示制御手段６５は、第３図柄表示部８３ｃにおける第３停止変動図柄を「７」で停止し、第１、第２、及び第３図柄表示部８１ｃ，８２ｃ，８３ｃにおける第１、第２、及び第３停止変動図柄は同じ図柄、即ち「７」「７」「７」を「左」「中」「右」に表示し、大当たり遊技が開始される。この大当たり遊技の終了後は、上記通常状態に復帰される。
【００９１】
また、例えば抽選手段５７の抽選結果が外れであれば、図９（ｅ）に示すように、第３図柄表示部８３ｃの第３停止変動図柄は、第１及び第２図柄表示部８１ｃ，８２ｃにおける第１及び第２停止変動図柄「７」とは異なる図柄として例えば「６」を表示し、つまり「７」「７」「６」を「左」「中」「右」に表示して、上記通常状態に復帰される。
【００９２】
この場合は、第３停止変動図柄が変動したまま第３図柄表示部８３ｃが視認不能の位置から出現するように第３図柄表示板８３の移動が行われるので、この第３の移動パターンにおける大当たり確率を例えば通常状態よりも３段階高くすることで、遊技者に例えば通常状態よりも３段階高い大当たりの期待感を与えることができる。また、同様に、全ての変動図柄の停止後、後述する更に期待度が高い第４の移動パターンに移行してリーチの状態を発展させてもよい。
【００９３】
なお、本第１の実施の形態においては、第３図柄表示部８３ｃにおける第３停止変動図柄を変動させたまま視認できる位置、つまり第２図柄表示部８２ｃの背面側から「右」の位置に移動しているが、第３停止変動図柄を停止して図柄を確定した後、第２図柄表示部８２ｃの背面側から「右」の位置に移動させてもよい。これにより、遊技者に対し、第３図柄表示部８３ｃの移動時に大きな期待感を与えることが可能となる。
【００９４】
次に、第４の移動パターンについて説明する。この第４の移動パターンも、上記第３の移動パターンと同様に例えばリーチ（スーパーリーチ）の状態となる移動パターンとなる場合であって、例えば抽選手段５７の抽選結果が遊技者にとって上記通常状態よりも４段階期待度が高い抽選結果であった場合である。
【００９５】
この第４の移動パターンにおいては、その通常状態よりも４段階期待度が高い抽選結果の信号に従って、図１０（ａ）に示すように、表示制御手段６５により第１、第２、及び第３図柄表示部８１ｃ，８２ｃ，８３ｃにおける各変動図柄を変動させた状態で、駆動演出制御手段６６が第１モーターＭ１及び第３モーターＭ３に駆動を指令して、第１図柄表示板８１を「左」から「中」に移動すると共に、第３図柄表示板８３を「右」から「中」に移動し、つまり第２及び第３図柄表示部８２ｃ，８３ｃを第１図柄表示部８１ｃの背面側に重なるように移動する。そして、その第１図柄表示板８１及び第３図柄表示板８３の移動が終了した後、表示制御手段６５は、第１図柄表示部８１ｃにおける第１停止変動図柄を停止し、つまり図１０（ｂ）に示すように、「中」の変動図柄を例えば「７」に停止させる。
【００９６】
つづいて、図１０（ｃ）に示すように、表示制御手段６５により第２図柄表示部８２ｃにおける変動図柄を変動させた状態で、駆動演出制御手段６６が第２モーターＭ２に駆動を指令して、第２図柄表示板８２を「中」から「右」に移動する。この第２図柄表示板８２の移動が終了した後、表示制御手段６５は、第２図柄表示部８２ｃにおける第２停止変動図柄を停止し、第２図柄表示部８２ｃに第１図柄表示部８１ｃと同じ図柄「７」を表示する、つまり、図１０（ｄ）に示すように「中」と「右」に同じ変動図柄が表示され、所謂リーチ状態となる。
【００９７】
その後、図１０（ｅ）に示すように、表示制御手段６５により第３図柄表示部８３ｃにおける変動図柄を変動させた状態で、駆動演出制御手段６６が第３モーターＭ３に駆動を指令して、第３図柄表示板８３を「中」から「左」に移動する。そして、例えば抽選手段５７の抽選結果で大当たりが当選していた場合は、図１０（ｆ）に示すように、表示制御手段６５は、第３図柄表示部８３ｃにおける第３停止変動図柄を「７」で停止し、第１、第２、及び第３図柄表示部８１ｃ，８２ｃ，８３ｃにおける第１、第２、及び第３停止変動図柄は同じ図柄、即ち「７」「７」「７」を「左」「中」「右」に表示し、大当たり遊技が開始される。この大当たり遊技の終了後は、上記通常状態に復帰される。
【００９８】
また、例えば抽選手段５７の抽選結果が外れであれば、図１０（ｇ）に示すように、第３図柄表示部８３ｃの第３停止変動図柄は、第１及び第２図柄表示部８１ｃ，８２ｃにおける第１及び第２停止変動図柄「７」とは異なる図柄として例えば「８」を表示し、つまり「８」「７」「７」を「左」「中」「右」に表示して、上記通常状態に復帰される。
【００９９】
この場合は、第２停止変動図柄が変動したまま第２図柄表示部８２ｃが視認不能の位置から出現するように第２図柄表示板８２の移動が行われ、さらに、第３停止変動図柄が変動したまま第３図柄表示部８３ｃが視認不能の位置から出現するように第３図柄表示板８３の移動も行われるので、この第４移動パターンにおける大当たり確率を例えば通常状態よりも４段階高くすることで、遊技者に例えば通常状態よりも４段階高い大当たりの期待感を与えることができる。
【０１００】
なお、本第１の実施の形態においては、第２及び第３図柄表示部８２ｃ，８３ｃにおける第２及び第３停止変動図柄を変動させたまま視認できる位置、つまり第１図柄表示部８１ｃの背面側からそれぞれ「右」の位置及び「左」の位置に移動しているが、第２停止変動図柄や第３停止変動図柄を停止して図柄を確定した後、それぞれ第１図柄表示部８１ｃの背面側から「右」の位置及び「左」の位置に移動させてもよい。これにより、遊技者に対し、第２図柄表示部８２ｃや第３図柄表示部８３ｃの移動時に大きな期待感を与えることが可能となる。
【０１０１】
また、上述した第３及び第４の移動パターンにあっては、第１乃至第３図柄表示部８１ｃ，８２ｃ，８３ｃの何れかを重ねて視認不能にした後、視認可能な位置に移動するものを説明したが、例えば変動図柄をそのまま減らした状態で図柄を確定してもよく、つまり２つの変動図柄だけが視認できる状態にあっては２つの変動図柄が揃えば大当たり、１つの変動図柄だけが視認できる状態にあっては大当たり確定（所謂１００％リーチ）、のように構成してもよい。
【０１０２】
以上のように、本発明に係るパチンコ機１によると、図柄表示装置３５に、複数の変動図柄にそれぞれ対応し、第１、第２、及び第３表示面８１ａ，８２ａ，８３ａに各変動図柄を表示し得る第１、第２、及び第３図柄表示板８１，８２，８３と、第１、第２、及び第３図柄表示板８１，８２，８３のそれぞれを移動駆動し得るスライド機構７５、第１、第２、及び第３モーターＭ１，Ｍ２，Ｍ３とを有するように構成し、駆動演出制御手段６６が、抽選手段５７の抽選結果に基づき、スライド機構７５、第１、第２、及び第３モーターＭ１，Ｍ２，Ｍ３に各第１、第２、及び第３図柄表示板８１，８２，８３の駆動を指令するので、第１、第２、及び第３図柄表示板８１，８２，８３を移動駆動させることで、それら変動図柄の物理的な移動駆動、つまり複数の変動図柄の物理的な変動を可能にすることができ、遊技者に対して迫力ある変動図柄の表示を行うことができて、遊技機としての趣向を増すことができる。
【０１０３】
また、第１、第２、及び第３図柄表示板８１，８２，８３を、第１、第２、及び第３表示面８１ａ、８２ａ、８３ａに対する前後方向にそれぞれオフセットして配置すると共に、スライド機構７５、第１、第２、及び第３モーターＭ１，Ｍ２，Ｍ３に、第１、第２、及び第３表示面８１ａ，８２ａ，８３ａに対する左右方向に各第１、第２、及び第３図柄表示板８１，８２，８３をスライド駆動自在なスライド機構７５を有するように構成し、駆動演出制御手段６６が、スライド機構７５、第１、第２、及び第３モーターＭ１，Ｍ２，Ｍ３に駆動指令し、第１、第２、及び第３図柄表示板８１，８２，８３の少なくとも１つを左右方向にスライド移動させるので、複雑な機構を設けることなく、それら変動図柄の物理的な変動を可能にすることができる。
【０１０４】
また、駆動演出制御手段６６が、スライド機構７５、第１、第２、及び第３モーターＭ１，Ｍ２，Ｍ３に駆動指令し、第１、第２、及び第３図柄表示板８１，８２，８３の少なくとも２つをスライド駆動して互いに重なり合わせることにより、後側の図柄表示板の表示面を視認不能にするので、例えば遊技者に変動図柄を隠して当たりか否かを期待させたり、或いは変動図柄の数を減らして（例えば３つの変動図柄を２つや１つの変動図柄だけに減らして）当たりの期待度を増したりするような表示手法を可能とすることができる。
【０１０５】
また、複数の変動図柄は、変動後に停止する順に、第１停止変動図柄、第２停止変動図柄、第３停止変動図柄からなり、第１、第２、及び第３図柄表示板８１，８２，８３は、第１停止変動図柄を表示する第１図柄表示板８１、第２停止変動図柄を表示する第２図柄表示板８２、第３停止変動図柄を表示する第３図柄表示板８３からなり、駆動演出制御手段６６が、スライド機構７５、第１、第２、及び第３モーターＭ１，Ｍ２，Ｍ３に駆動指令し、第１図柄表示板８１、第２図柄表示板８２、及び第３図柄表示板８３を左右方向にスライド移動することにより、変動後に停止する左右方向の順を変更するので、それら第１停止変動図柄、第２停止変動図柄、第３停止変動図柄が停止する順を変えなくても、遊技者にとっての左右方向における変動図柄の停止順を変更することができる。また、それら変動図柄の左右方向の停止順を変更するパターン（例えば「左」「中」「右」の順を、「右」「中」「左」に変更したり、「左」「右」「中」に変更したりすること）によって、遊技者にとっての当たりの期待度を変更するようにすることができる。
【０１０６】
また、前後方向にそれぞれオフセットされた第１、第２、及び第３図柄表示板８１，８２，８３の第１、第２、及び第３表示面８１ａ，８２ａ，８３ａに表示される変動図柄が、所定の視点位置から略々同じ大きさで視認し得る焦点となるように少なくとも最も前側に配置された第１図柄表示板８１よりも後側に配置された第２及び第３図柄表示板８２，８３の表示面を拡大するレンズ８２ｂ、８３ｂを備えたので、図柄表示板が前後方向にオフセットされて配置されたことに起因して、遊技者から見て変動図柄の大きさが異なってしまうことを防止することができる。
【０１０７】
＜第２の実施の形態＞
次に、本発明の第２の実施の形態を図１１乃至図１３に沿って説明する。なお、本第２の実施の形態においては、一部の変更を除き、第１の実施の形態と同様な部分に、同符号を付して、その説明を省略する。
【０１０８】
本第２の実施の形態におけるパチンコ機１は、図１１及び図１２に示すように、第１の実施の形態における図柄表示装置３５に備えられた背面板１０３の代わりに液晶表示装置３５ａを備えており、この液晶表示装置３５ａが遊技制御装置５４に接続されている。
【０１０９】
上記液晶表示装置３５ａは、図１２に示すように、液晶表示装置３５ａは、外枠３５ａａと表示画面３５ａｂとで構成されており、台座板１０２のＹ２方向側端部に接続するよう配設され、パチンコ機１の内部と図柄表示装置３５と隔離し、上述のように各図柄表示板の配置位置によって、開口部３６において、いずれの図柄表示板も前後方向に対して存在しなくなる領域が生じてしまう場合でも、該液晶表示装置３５ａによりパチンコ機１の内部を前方に開放してしまうことを防いでいると共に、図柄表示板が前後方向に存在しなくなることによって表示画面３５ａｂが視認できるように構成されている。また、該表示画面３５ａｂは表示制御手段６５の制御に従って作動し、演出データや抽選手段５７での抽選結果に応じた演出表示を行う。
【０１１０】
次に、本第２の実施の形態に係る、図柄表示装置３５による演出パターンの例を図１３に沿って説明する。
【０１１１】
例えば本第２の実施の形態における通常状態の制御では、図１３（ａ）に示すように、各図柄表示板は、駆動演出制御手段６６の制御に従って第１モーターＭ１、第２モーターＭ２、第３モーターＭ３のそれぞれが「左」の位置に配置されており、つまり第２及び第３図柄表示部８２ｃ，８３ｃを第１図柄表示部８１ｃの背面側に重なるように配置した状態で「中」「右」の部分の表示画面３５ａｂが視認できる状態となっている。この状態で、液晶表示装置３５ａは、表示制御手段６５の制御に従って作動し、表示画面３５ａｂの遊技者に対して視認可能な部分（つまり「中」「右」に対応する部分）おいて演出データや抽選手段５７での抽選結果に応じた演出表示を行う。
【０１１２】
つづいて、本第２の実施の形態における移動パターンについて説明する。本移動パターンにおいては、例えば抽選手段５７の抽選結果が遊技者にとって上記通常状態よりも期待度が高い抽選結果である場合であって、その抽選結果の信号に従って、まず、液晶表示装置３５ａが表示制御手段６５の制御に従って作動し、この演出表示において、例えば図１３（ｂ）に示すように「７６７」のように、外れの状態を表示する。そして、液晶表示装置３５ａによる演出表示が終了した後、表示制御手段６５は、第１図柄表示部８１ｃにおける第１停止変動図柄の表示を開始し、その後、該第１停止変動図柄を停止して、例えば図１３（ｂ）に示すように、「左」の変動図柄を「７」に停止させる。
【０１１３】
つづいて、図１３（ｃ）に示すように、表示制御手段６５により第２図柄表示部８２ｃにおける変動図柄を変動させた状態で、駆動演出制御手段６６が第２及び第３モーターＭ２，Ｍ３に駆動を指令して、第２及び第３図柄表示板８２，８３を「左」から「中」に移動する。この第２及び第３図柄表示板８２，８３の移動が終了した後、表示制御手段６５は、第２図柄表示部８２ｃにおける第２停止変動図柄を停止し、第２図柄表示部８２ｃに第１図柄表示部８１ｃと同じ図柄「７」を表示する、つまり、図１３（ｄ）に示すように「左」と「中」に同じ変動図柄が表示され、所謂リーチ状態となる。
【０１１４】
その後、図１３（ｅ）に示すように、表示制御手段６５により第３図柄表示部８３ｃにおける変動図柄を変動させた状態で、駆動演出制御手段６６が第３モーターＭ３に駆動を指令して、第３図柄表示板８３を「中」から「右」に移動する。そして、例えば抽選手段５７の抽選結果で大当たりが当選していた場合は、図１３（ｆ）に示すように、表示制御手段６５は、第３図柄表示部８３ｃにおける第３停止変動図柄を「７」で停止し、第１、第２、及び第３図柄表示部８１ｃ，８２ｃ，８３ｃにおける第１、第２、及び第３停止変動図柄は同じ図柄、即ち「７」「７」「７」を「左」「中」「右」に表示し、大当たり遊技が開始される。この大当たり遊技の終了後は、上記通常状態に復帰される。
【０１１５】
なお、例えば抽選手段５７の抽選結果が外れであれば、第３図柄表示部８３ｃの第３停止変動図柄は、第１及び第２図柄表示部８１ｃ，８２ｃにおける第１及び第２停止変動図柄「７」とは異なる図柄を表示し、上記通常状態に復帰される。
【０１１６】
この場合は、第２停止変動図柄が変動したまま第２図柄表示部８２ｃが視認不能の位置から出現するように第２図柄表示板８２の移動が行われ、さらに、第３停止変動図柄が変動したまま第３図柄表示部８３ｃが視認不能の位置から出現するように第３図柄表示板８３の移動も行われるので、この移動パターンにおける大当たり確率を例えば通常状態よりも高くしておくことで、遊技者に例えば通常状態よりも高い大当たりの期待感を与えることができる。
【０１１７】
なお、本第２の実施の形態における第１、第２、及び第３図柄表示板８１，８２，８３の移動パターンにおいても第１の実施の形態で説明した移動パターンを用いることが可能である。
【０１１８】
また、本第２の実施の形態で説明した移動パターンから第１の実施の形態で説明した移動パターンに発展させることも可能である。
【０１１９】
以上のように本第２の実施の形態に係るパチンコ機１によると、第１、第２、及び第３図柄表示板８１，８２，８３の後側に配置された液晶表示装置３５ａと、抽選手段５７の抽選結果に基づき液晶表示装置３５ａの表示画面３５ａｂを表示制御する表示制御手段６５とを備え、つまり移動駆動し得る第１、第２、及び第３図柄表示板８１，８２，８３と液晶表示装置３５ａの表示画面３５ａｂとを組合せたので、液晶表示装置３５ａによる変動図柄の演出を可能とすることができると共に、複数の変動図柄の物理的な変動も可能とすることができ、遊技者に対してより迫力ある変動図柄の表示を行うことができて、遊技機としての趣向を増すことができる。
【０１２０】
なお、本第１及び第２の実施の形態における図柄表示装置３５の演出は、上述した各移動パターンのような演出以外にも、「中」「右」「左」の順に変動図柄を停止させたり、「中」の位置ではなく「右」の位置や「左」の位置に各第１、第２、及び第３図柄表示板８１，８２，８３を重なり合わせる等、演出による各第１、第２、及び第３図柄表示板８１，８２，８３の位置関係はどのように設定することも可能である。
【０１２１】
また、例えば最後に視認可能となる図柄表示板が手前側の図柄表示板から出現するように演出する場合にあって、外れの場合には速く、大当たりの場合にはゆっくりと第３図柄表示板８３を移動駆動させる等、各第１、第２、及び第３図柄表示板８１，８２，８３を移動駆動させる速度に変化をつける演出をすることも可能である。
【０１２２】
また、各第１、第２、及び第３図柄表示板８１，８２，８３の表示面には７セグメント型表示装置を用いるように説明したが、例えば液晶パネルを用いる等の構成にすることも可能である。
【０１２３】
また、本実施の形態で説明した各第１、第２、及び第３図柄表示板８１，８２，８３には、拡大レンズ８１ｂ、８２ｂ、８３ｂがそれぞれ備えられている説明をしたが、それぞれの第１、第２、及び第３表示面８１ａ，８２ａ，８３ａが所定の視点位置から略々同じ大きさで視認し得るようになればよいので、第１図柄表示板８１の拡大レンズ８１ｂは用いずに、拡大レンズ８２ｂ，８３ｂだけを用いて所定の視点位置から第１、第２、及び第３表示面８１ａ，８２ａ，８３ａが略々同じ大きさで視認し得るようにしても構わない。
【０１２４】
また、本第２の実施の形態では、１つの始動チャッカー２７への入賞に応じて１つの抽選手段５７で大当たり抽選を行い、その抽選結果に基づき、液晶表示装置３５ａ及び第１、第２、及び第３図柄表示板８１，８２，８３の演出を行うものを一例として説明したが、例えば２つの始動チャッカーとそれらに対応した２つの抽選手段を有する、所謂１種１種の遊技機に本発明を適用し、つまり一方の抽選手段の抽選結果に基づいた演出を液晶表示装置３５ａで行い、他方の抽選手段の抽選結果に基づいた演出を第１、第２、及び第３図柄表示板８１，８２，８３で行うように構成することも可能である。
【０１２５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【０１２６】
【図１】本発明の実施の形態におけるパチンコ機の外部構造を示す正面図。
【図２】本パチンコ機から遊技盤を単体で分離した状態で示す正面図。
【図３】第１の実施の形態に係る本パチンコ機の制御系を示すブロック図。
【図４】本パチンコ機による作動を説明するためのフローチャート。
【図５】第１の実施の形態に係る図柄表示装置を示す斜視図。
【図６】第１の実施の形態に係る図柄表示装置における通常状態を示す説明図で、（ａ）は各図柄表示装置の位置関係を示す模式上方視図。（ｂ）は（ａ）のＡ矢視図。
【図７】第１の実施の形態に係る図柄表示装置における第１の移動パターンを示す説明図で、（ａ）は各図柄表示装置の位置関係を示す模式上方視図。（ｂ）は（ａ）のＡ矢視図。
【図８】第１の実施の形態に係る図柄表示装置における第２の移動パターンを示す説明図で、（ａ）は各図柄表示装置の位置関係を示す模式上方視図。（ｂ）は（ａ）のＡ矢視図。
【図９】第１の実施の形態に係る図柄表示装置における第３の移動パターンを示す説明図で、（ａ）（ｃ）は各図柄表示装置の位置関係を示す模式上方視図。（ｂ）は（ａ）のＡ矢視図、（ｄ）（ｅ）は（ｃ）のＡ矢視図。
【図１０】第１の実施の形態に係る図柄表示装置における第４の移動パターンを示す説明図で、（ａ）（ｃ）（ｅ）は各図柄表示装置の位置関係を示す模式上方視図。（ｂ）は（ａ）のＡ矢視図、（ｄ）は（ｃ）のＡ矢視図、（ｆ）（ｇ）は（ｅ）のＡ矢視図。
【図１１】第２の実施の形態に係る本パチンコ機の制御系を示すブロック図。
【図１２】第２の実施の形態に係る図柄表示装置を示す斜視図。
【図１３】第２の実施の形態に係る図柄表示装置における第１の移動パターンを示す説明図で、（ａ）（ｃ）（ｅ）は各図柄表示装置の位置関係を示す模式上方視図。（ｂ）は（ａ）のＡ矢視図、（ｄ）は（ｃ）のＡ矢視図、（ｆ）は（ｅ）のＡ矢視図。
【符号の説明】
【０１２７】
１        遊技機
３        遊技盤
３ａ      遊技領域
２７      始動口
３５      図柄表示装置
３５ａ    画像表示装置（液晶表示装置）
３５ａｂ  画面（表示画面）
５７      抽選手段
６５      表示制御装置
６６      駆動演出制御手段
７５      スライド機構
８１      第１図柄表示板
８１ａ，８２ａ，８３ａ  表示面
８２      第２図柄表示板
８２ｂ，８３ｂ  レンズ
８３      第３図柄表示板
Ｘ１−Ｘ２  左右方向
Ｙ１−Ｙ２  前後方向
【図１】
2007268007.tif 000003
【図２】
2007268007.tif 000004
【図３】
2007268007.tif 000005
【図４】
2007268007.tif 000006
【図５】
2007268007.tif 000007
【図６】
2007268007.tif 000008
【図７】
2007268007.tif 000009
【図８】
2007268007.tif 000010
【図９】
2007268007.tif 000011
【図１０】
2007268007.tif 000012
【図１１】
2007268007.tif 000013
【図１２】
2007268007.tif 000014
【図１３】
2007268007.tif 000015